(57)【要約】【課題】放熱効果に優れ、熱伝導効率が向上し、フィン構造の強度が高い水冷ラジエーター構造を提供する。【解決手段】水冷ラジエーター本体２に対して上下から重畳する複数の放熱部品２３ａをそれぞれ上下から重畳し連接して一体とする第一シーリング部品２１、第二シーリング部品２２からなる、水冷ラジエーター構造であって、該第一、二シーリング部品の一側は、該水冷ラジエーター本体に対応する上、下側にそれぞれ連接し、該水冷ラジエーター本体内に形成されて冷却水を導通する螺旋ランナーの最上側と底側をシーリングする。螺旋ランナーと第一、第二シーリング部品との結合は、それぞれ第一、第二結合部を螺旋ランナーと第一、第二シーリング部品のいずれかに選択的に設けて行う。【選択図】図２
0003208546.tif 000002
【実用新案登録請求の範囲】
【請求項１】
少なくとも一つの第一シーリング部品、少なくとも一つの第二シーリング部品及び複数の放熱部品を重畳する水冷ラジエーター本体を含む水冷ラジエーター構造において、
該各放熱部品は該放熱部品を貫通して成形したスリットを備えると共に、該複数のスリットは冷却用作動流体を導通する螺旋ランナーを配置して重畳成形し、
更に、該第一、二シーリング部品の一側は、該水冷ラジエーター本体の上下に重畳する各放熱部品に対応して上側及び下側にそれぞれ連接して配置されて、該螺旋ランナーの最上側と底側をシーリングし、
第一シーリング部品と該螺旋ランナーとを結合する第一結合部は、該第一シーリング部品もしくは該螺旋ランナーの一端を選択して設置し、
第二シーリング部品と該螺旋ランナーの多端とを結合する第二結合部は、該第二シーリング部品もしくは該螺旋ランナーの他端を選択して設置し、
該第一、二結合部は該螺旋ランナーに相対して連通することを特徴とする水冷ラジエーター構造。
【請求項２】
前記各放熱部品は、複数のフィン部を備え、該複数のフィン部は該第一放熱部品の外側から外向きに伸びて成形し、且つ該各放熱部品の該スリットは各該放熱部品の該複数のフィン部の間に位置することを特徴とする請求項１記載の水冷ラジエーター構造。
【請求項３】
前記第一、二結合部は、それぞれ螺旋ランナーの一端と他端箇所に成形し、且つ該第一、二結合部は該螺旋ランナーの一端と他端に相対して連通することを特徴とする請求項２記載の水冷ラジエーター構造。
【請求項４】
前記第一シーリング部品は、第一シーリング部及び複数の第一放熱フィン部を備え、該複数の第一放熱フィン部は該第一シーリング部品の外側から外向きに伸びて形成し、該第一シーリング部は該複数の第一放熱フィン部の間に位置し、且つ該第一シーリング部の一側は、該水冷ラジエーター本体に対応する上側と相互に連接し、該螺旋ランナーの最上側に相対してシーリングすることを特徴とする請求項３記載の水冷ラジエーター構造。
【請求項５】
前記第二シーリング部品は、第二シーリング部及び複数の第二放熱フィン部を備え、該複数の第二放熱フィン部は、該第二シーリング部品の外側から外向きに伸びて形成し、該第二シーリング部は該複数の第二放熱フィン部の間に位置し、且つ該第二シーリング部の一側は、該水冷ラジエーター本体に対応する下側と相互に連接し、該螺旋ランナーの底側に相対してシーリングすることを特徴とする請求項４記載の水冷ラジエーター構造。
【請求項６】
前記第一、二シーリング部品は、それぞれ金属材質で構成された片体で、該複数の放熱部品も金属材質で構成された片体で、更に該第二シーリング部品と該複数の放熱部品及び該第一シーリング部品は下から上方に向けて順に重畳し、熱処理により一体に連接して水冷ラジエーター構造を構成することを特徴とする請求項１記載の水冷ラジエーター構造。
【請求項７】
前記螺旋ランナーは、徐々に縮む螺旋構造もしくは縮まない螺旋構造とすることを特徴とする請求項１記載の水冷ラジエーター構造。
【請求項８】
前記等第一放熱フィン部は、更に延長フィンを備え、該複数の延長フィンは該第一シーリング部品中心から遠い該複数の第一放熱フィン部の一端において上向きに伸びて形成し、且つ該複数の延長フィンが共に納置空間を形成し、該納置空間にはファンを納置するのに用いることを特徴とする請求項３記載の水冷ラジエーター構造。
【考案の詳細な説明】
【技術分野】
【０００１】
本考案は、水冷ラジエーター構造に関するもので、特に良好な放熱効果を備える水冷ラジエーター構造である。
【背景技術】
【０００２】
コンピューターインフォメーション等高科学技術産業が高速発展し、その応用範囲の拡大に伴い、コンピューターのデーター処理のスピードは益々高まっている。
現在、コンピューター設備の内部の電子部品の体積はマイクロ化しており、集積回路 (Integrated circuit、IC)の集積密度も相対して高まり、それに伴い単位面積当たりの熱量も上昇している。もしも、電子部品が発した熱を排除することができなければ、電子部品は壊れ、コンピューターが運転できなくなる。
【０００３】
発熱する電子部品の温度を下げるため、市場では水冷式装置が現れ、ラジエーターによって二水導管を通ってポンプ(Pump)及び水冷ヘッドに連接し、ポンプ(Pump)によって水冷液(もしくは作動流体とする)をラジエーターに流して放熱し、繰り返し冷却循環させることでスピーディに熱を取り去る。図１に示すとおり、公知のラジエーター１は、主に三個の独立した部品から構成される。
即ち複数の湾曲した放熱フィン１１、複数の扁平管１２及び両側の水槽１３から構成される。該複数の放熱フィン１１は該複数の扁平管１２の間に設置し、且つ該複数の放熱フィン１１は湾曲状で湾曲点外側と該複数の扁平管１２に隣接して対応する外側の間はハンダ付けで構成し、二者だけが接触し、前述二側水槽１３と相互にハンダ付けした後の該複数の放熱フィン１１と該複数の扁平管１２の両側もハンダ付けされ、該両側の水槽１３と該複数の放熱フィン１１及び該複数の扁平管１２が連接してラジエーター１を構成する。そのうちの片側の水槽１３上には入水口１３１と出水口１３２を設置し、該入水口１３１は出水口１３２と、それぞれ二水導管(図中未提示)に相対して連接する。
【０００４】
公知のラジエーター４の該複数の扁平管１２内の作動液体の熱量は該複数の放熱フィン１１上へ伝導して放熱するが、それに依る問題として、作動液体の熱量が該複数の放熱フィン１１へ伝わる熱伝導効率が良くない。なぜなら、該複数の放熱フィン１１と該複数の扁平管１２は二個の独立部品をはんだ付けして構成するため、該複数の放熱フィン１１は該複数の扁平管１２本体の一部ではなく、該複数の扁平管１２が熱量を該複数の放熱フィン１１に伝える間には熱抵抗現象が起こり、該複数の扁平管１２の水冷液が吸収した熱量を両側の該複数の放熱フィン１１上に伝導する熱伝導効率が良くなくなり、更にラジエーター１全体の放熱機能が下がる(もしくは熱交換効率が下がる)問題が起こる。その他、該複数の放熱フィン１１は湾曲点の外側と両側の扁平管１２外側を相互にハンダ付けするため、該複数の放熱フィン１１の中間部位１１１構造の強度が弱くなるため、外力に拠って壊れやすくなる(例えば変形する。)という問題が発生し、且つそれら扁平管１２と該複数の放熱フィン１１の間の熱伝導效果も低下して理想的でない。
【先行技術文献】
【特許文献】
【０００５】
【特許文献１】特開２００１−５３２０６号公報
【考案の概要】
【考案が解決しようとする課題】
【０００６】
解決しようとする問題点は、熱伝導率が悪い点である。更に公知ラジエーターは、三つの独立した部品から構成されるため、組立工程が煩雑になり、時間と人的労力がかかる問題があり、更には水漏れしやすいと言う問題もある。
【課題を解決するための手段】
【０００７】
本考案は、少なくとも一つの第一シーリング部品、少なくとも一つの第二シーリング部品及び複数の放熱部品を重畳して構成する水冷ラジエーター本体を含む。該第一、二シーリング部品と該複数の放熱部品は、順に重畳して熱処理方式で連接して一体にする。該第一、二シーリング部品の一側は、該水冷ラジエーター本体に対応する上、下側にそれぞれ連接し、該水冷ラジエーター本体内に形成する螺旋ランナーの最上と底側をシーリングする。第一結合部は該第一シーリング部品もしくは該螺旋ランナーの一端に選択設置し、第二結合部は該第一シーリング部品もしくは該螺旋ランナーの他端に選択設置し、該第一、二結合部は該螺旋ランナーに相対して連通することを最も主要な特徴とする。
【考案の効果】
【０００８】
本考案の水冷ラジエーター構造は、放熱効果に優れ、熱伝導効率が向上し、フィン構造の強度が高いという利点がある。
【図面の簡単な説明】
【０００９】
【図１】公知のラジエーターの組立立体指示図である。
【図２】本考案の実施例の分解立体指示図である。
【図２Ａ】本考案の図２の局部拡大指示図である。
【図２Ｂ】本考案の図２の別の局部拡大指示図である。
【図２Ｃ】本考案の図２の別の局部拡大指示図である。
【図３Ａ】本考案の実施例の組立立体指示図である。
【図３Ｂ】本考案の実施例の組立立体の別角度指示図である。
【図４Ａ】本考案の水冷ラジエーター本体の局部断面と螺旋ランナー立体指示図である。
【図４Ｂ】本考案の図４Ａの局部拡大指示図である。
【図５Ａ】本考案の実施例の水冷ラジエーター本体とファンの分解立体指示図である。
【図５Ｂ】本考案の実施例の水冷ラジエーター本体とファンの組立立体指示図である。
【図５Ｃ】本考案の実施例の水冷ラジエーター本体とファンの組立立体の別角度から見た指示図である。
【考案を実施するための形態】
【００１０】
上述の問題を改善するため、放熱効果に優れた水冷ラジエーター構造を提供することを本考案の目的とする。
【００１１】
熱伝導効率が向上し、フィン構造の強度が高い水冷ラジエーター構造を提供することを本考案の別の目的とする。
【００１２】
螺旋ランナーの構造によって、作動液体の該螺旋ランナー内での流動時間を増えたり、延びたりすることで、放熱効率を有効に向上させる水冷ラジエーター構造を提供することを本考案の更に別の目的とする。
【００１３】
本考案は、水冷ラジエーター構造を提供し、それは少なくとも一つの第一シーリング部品、少なくとも一つの第二シーリング部品及び複数の放熱部品を含む。該複数の放熱部品は水冷ラジエーター本体に重畳して構成し、該各放熱部品はスリットを備え、該スリットは各該放熱部品を貫通成形し、該複数のスリットは螺旋ランナーに重畳して成形する。該第一、二シーリング部品の一側は、該水冷ラジエーター本体に対応する上側及び下側にそれぞれ連接し、該螺旋ランナーの最上と底側にシーリングする。第一結合部は該第一シーリング部品もしくは該螺旋ランナーの一端に選択設置し、第二結合部は該第一シーリング部品もしくは該螺旋ランナーの他端に選択設置し、該第一、二結合部は該螺旋ランナーに相対して連通する。本考案の構造によって、有効にコストを下げ、解熱効果を高め、更にフィン構造強度を有効に高めることを達成する。
【００１４】
一実施として、該各放熱部品は、複数のフィン部を備える。該複数のフィン部は、該環体外側は外向きに伸びて形成し、且つ該各放熱部品の該スリットは各該放熱部品の該複数のフィン部の間に位置する。
【００１５】
一実施として、該第一シーリング部品は、第一シーリング部及び複数の第一放熱フィン部を備え、該複数の第一放熱フィン部は該第一シーリング部品の外側から外向きに伸びて成形し、該第一シーリング部は、該複数の第一放熱フィン部の間に位置し、且つ該第一シーリング部の一側は、該水冷ラジエーター本体に対応する上側と相互に連接し、該螺旋ランナーの最上に相対してシーリングする。
【００１６】
一実施として、該第二シーリング部品は、第二シーリング部及び複数の第二放熱フィン部を備え、該複数の第二放熱フィン部は該第二シーリング部品の外側から外向きに伸びて成形し、該第二シーリング部は、該複数の第二放熱フィン部の間に位置し、且つ該第二シーリング部の一側は、該水冷ラジエーター本体に対応する下側と相互に連接し、該螺旋ランナーの底側に相対してシーリングする。
【００１７】
一実施として、該第一、二シーリング部品は、それぞれ金属材質構成の片体であり、該複数の放熱部品は金属材質構成の片体であり、更に該第二シーリング部品と該複数の放熱部品及び該第一シーリング部品は下から上向きに順に重畳し、熱処理方式で連接して一体にして水冷ラジエーター構造を構成する。
【００１８】
一実施として、該螺旋ランナーは、徐々に縮む螺旋構造もしくは縮まない螺旋構造とする。
【００１９】
一実施として、該複数の第一放熱フィン部は、更に延長フィンを備え、該複数の延長フィンは該第一シーリング部品中心から遠い該複数の第一放熱フィン部の一端において、上向きに成形して伸び、且つ該複数の延長フィンは共同で納置空間を形成し、該納置空間にファンを納置するのに用いる。        
【実施例１】
【００２０】
本考案の上述目的及びその構造と機能上の特性を図式と共に実施例を挙げて説明する。
【００２１】
本考案は、水冷ラジエーター構造を提供する。図２、３Ａに示すのは、本考案の一実施例の分解と組立立体指示図であり、他に図２Ａ、２Ｂ、２Ｃを参考とする。
該水冷ラジエーター構造は、少なくとも一つの第一シーリング部品２１、少なくとも一つの第二シーリング部品２２、第一結合部２３９１、第二結合部２３９２及び複数の放熱部品２３ａを含む。
該複数の放熱部品２３ａは水冷ラジエーター本体２３に重畳して構成し、該複数の放熱部品２３ａは本実施例では金属材質で製造された(例として銅、アルミニウム、ステンレス、マグネシウム、チタンもしくはその他展延性がよく、導熱性が良い金属もしくは複合材料等)片体とする。該各放熱部品２３ａはスリット２３５ａ及び複数のフィン部２３７ａを備え、該複数のフィン部２３７ａは該第一放熱部品２３ａの外側から外向きに延長され、吸収した熱量を外に向かって放熱するのに用いる。並びに該各放熱部品２３ａのスリット２３５ａは各該放熱部品２３ａを貫通して成形し、且つ各該放熱部品２３ａのスリット２３５ａは各該放熱部品２３ａの該複数のフィン部２３７ａの間に位置し、該複数のスリット２３５ａは螺旋ランナー２３８ａを重畳して形成する(例として図４Ａ、４Ｂ参照)。
【００２２】
前述第一、二シーリング部品２１、２２及び該複数の放熱部品２３ａは、重畳連接して水冷ラジエーター構造２を一体構成する。言い換えると、該第二シーリング部品２２と該複数の放熱部品２３ａ及び該第一シーリング部品２１は下から上に向かって順に重畳した後、熱処理方式(例として雰囲気炉もしくは真空炉)で水冷ラジエーター構造２として一体構成する。更に該第一、二シーリング部品２１、２２の一側は、それぞれ該水冷ラジエーター本体２３の上側及び下側に対応して一体連接し、該螺旋ランナー２３８ａの最上と底側に相対してシーリングするのに用いる。並びに、該螺旋ランナー２３８ａは本実施例では縮まない螺旋構造を採用する。図２、４Ａにおいて、該複数の放熱部品２３ａのスリット２３５ａの位置は螺旋で下から上に向かって(もしくは上から下に向かって) 設置し、該複数の放熱部品２３ａのスリット２３５ａを重畳連接して螺旋構造を一体構成する。具体実施の時、前述螺旋ランナー２３８ａは徐々に縮む螺旋構造を選択しても良い。
【００２３】
他に、前述の第一結合部２３９１は、該第一シーリング部品もしくは該螺旋ランナーの一端に選択して設置し、該第二結合部２３９２は該第一シーリング部品２１もしくは該螺旋ランナー２３８ａの他端に選択して設置する。当実施の第一、二結合部２３９１、２３９２は、それぞれ該螺旋ランナー２３８ａの一端と他端の箇所に成形して設置し、且つ該第一結合部２３９１は作動液体(例として純水もしくはその他水冷液)を該螺旋ランナー２３８内に対応して流し入れ、次に該第二結合部２３９２から排出し、該第一、二結合部２３９１、２３９２は該螺旋ランナー２３８ａに相対して連通する。一実施例として、前述第一、二結合部２３９１、２３９２は該第一シーリング部品２１上にそれぞれ設置してもよく、且つ該第一、二結合部２３９１、２３９２は、該螺旋ランナー２３８ａの一端と他端にそれぞれ相対して連通する。
【００２４】
更に、前述第一シーリング部品２１は、本実施例では金属材質製成(例として銅、アルミニウム、ステンレス、マグネシウム、チタンもしくはその他展延性がよく、導熱性が良い金属もしくは複合材料等)の片体を表示し、該第一シーリング部品２１は第一シーリング部２１３及び複数の第一放熱フィン部２１４を備え、該複数の第一放熱フィン部２１４は該第一シーリング部品２１外側から外向きに伸びて形成する。また、前述第一シーリング部２１３は該複数の第一放熱フィン部２１４の間に位置し、且つ該第一シーリング部２１３の一側は該水冷ラジエーター本体２３に対応する上側と相互に連接し、該螺旋ランナー２３８ａの上方(もしくは最上)に相対してシーリングする。該第二シーリング部品２２は、本実施例では金属材質(例として銅、アルミニウム、ステンレス、マグネシウム、チタンもしくはその他展延性がよく、導熱性が良い金属もしくは複合材料等)の片体で製造し、該第二シーリング部品２２は、第二シーリング部２２３及び複数の第二放熱フィン部２２４を備え、該複数の第二放熱フィン部２２４は、該第二シーリング部品２２の外側から外向きに伸びて形成し、該第二シーリング部２２３は、該複数の第二放熱フィン部２２４の間に位置し、且つ該第二シーリング部２２３の一側は、該水冷ラジエーター本体２３と対応する下側と相互に連接し、該螺旋ランナー２３８ａの下方(もしくは底側)に相対してシーリングする。
【００２５】
本考案を実施するにあたり、該第一、二結合部２３９１、２３９２は二つの導水管(図未提示)によって、それぞれ水冷ヘッド(図未提示)に対応する出口及び進入口と相互に連接して連通し、該水冷ヘッドの一側を吸熱面として接触して発熱部品(例として中央処理装置もしくはグラフィックスチップ)の熱量を吸収し、その時、該水冷ヘッド内の作動液体は、前述の熱量を吸収し、該水冷ヘッド内（もしくは外枠）のポンプが運んできた熱量を伴った作動液体が該第一結合部２３９１を通過して該水冷ラジエーター本体２３の螺旋ランナー２３８ａ内へ流れ、該作動液体は該螺旋ランナー２３８ａに沿って下方の第二結合部２３９２に相対する方向に向かって流れ、同時に該作動液体上で吸收した熱量は該複数のフィン部２３７ａ及び第一、二放熱フィン部２１４、２２４に伝導し、該複数のフィン部２３７ａ及び第一、二放熱フィン部２１４、２２４によって放熱する。そして冷却後の作動液体は再び該第二結合部２３８２ａから水冷ヘッド内へ排出して回流し、常に循環を続け、水冷放熱効果を達成する。
【実施例２】
【００２６】
一実施例として、図５Ａ、５Ｂ、５Ｃに示すとおり、該複数の第一放熱フィン部２１４は、更に延長フィン２１４１を備え、該複数の延長フィン２１４１は該第一シーリング部品２１中心から遠い該複数の第一放熱フィン部２１４の一端において上向きに延長して成形し、該複数の延長フィン２１４１が共同で納置空間２１４３を形成し、該納置空間２１４３はファン３を納置するのに用いられ、それにより、該ファン３が該水冷ラジエーター本体２に対して強制的に放熱し、該複数の第一放熱フィン部２１４には更に複数のネジ留め孔２１４２を設置し、複数のネジ部品４は該ファン３上の複数の穿孔３１から該複数のネジ留め孔２１４２内まで通して固定する。
【００２７】
本考案の各放熱部品２３ａ本体上に成形した該スリット２３５ａと該複数のフィン部２３７ａ、及び該第一、二シーリング部品２１、２２本体に成形した該第一、二放熱フィン部２１４、２２４の構造によって、作動液体の熱量は各放熱部品２３ａから直接自身の該複数のフィン部２３７ａに伝え、更に該第一、二シーリング部品２１、２２から自身の該第一、二放熱フィン部２１４、２２４に直接伝え、有効に熱伝導効率全体を大幅に向上させ、更に熱を下げる効率が良くなる。その他、本考案の該第一、二シーリング部品２１、２２及び該複数の放熱部品２３ａが重畳連接する一体構造により、本考案は機動的で水冷ラジエーター構造２全体の強度を有効に高める。更に該螺旋ランナー２３８ａ構造によって、有効に流路を長くすることができ、作動液体の該螺旋ランナー２３８ａ内の流動時間を増やし、有効に放熱効果を達成する。
【符号の説明】
【００２８】
２        水冷ラジエーター構造
２１        第一シーリング部品
２１３        第一シーリング部
２１４        第一放熱フィン部
２１４１        延長フィン
２１４２        ネジ留め孔
２１４３        納置空間
２２        第二シーリング部品
２２３        第二シーリング部
２２４        第二放熱フィン部
２３        水冷ラジエーター本体
２３ａ      放熱部品
２３５ａ      スリット
２３７ａ      フィン部
２３８ａ      螺旋ランナー
２３９１        第一結合部
２３９２        第二結合部
３        ファン
３１        穿孔
４        ネジ部品
【図１】
0003208546.tif 000003
【図２】
0003208546.tif 000004
【図２Ａ】
0003208546.tif 000005
【図２Ｂ】
0003208546.tif 000006
【図２Ｃ】
0003208546.tif 000007
【図３Ａ】
0003208546.tif 000008
【図３Ｂ】
0003208546.tif 000009
【図４Ａ】
0003208546.tif 000010
【図４Ｂ】
0003208546.tif 000011
【図５Ａ】
0003208546.tif 000012
【図５Ｂ】
0003208546.tif 000013
【図５Ｃ】
0003208546.tif 000014